(57)【要約】【課題】ＥＰＧデータの取得処理を経済的に行える放送受信装置を提供する。【解決手段】ＥＰＧデータは、予め定められた放送時刻に３回、テレビ放送電波のＶＢＩに重畳されて繰り返し送信される。制御部１６のＣＰＵ１６ａは、ＥＰＧデータの放送時刻に至る前にＥＰＧ抽出部１４を駆動させ、このＥＰＧ抽出部１４により受信部１１で受信したテレビ放送電波のＶＢＩからＥＰＧデータを抽出して取得し、ＥＰＧデータの取得にエラーが無い時点で、取得したＥＰＧデータをＥＰＧ記憶部１４ｃに記憶させるとともにＥＰＧ抽出部１４の駆動を停止させる。【選択図】図３
2007208669.tif 000002
【特許請求の範囲】
【請求項１】
送信されたテレビ放送電波を受信する受信部と、この受信部で受信したテレビ放送電波のＶＢＩからＥＰＧデータを抽出するＥＰＧ抽出部と、このＥＰＧ抽出部で抽出したＥＰＧデータを記憶する記憶部と、ＥＰＧデータの取得処理を制御する制御部と、を含む放送受信装置を備えたＤＶＤレコーダにおいて、
ＥＰＧデータは、予め定められた放送時刻に３回、テレビ放送電波のＶＢＩに重畳されて繰り返し送信されるものであって、
制御部は、ＥＰＧデータの放送時刻に至る前にＥＰＧ抽出部を駆動させ、このＥＰＧ抽出部により受信部で受信したテレビ放送電波のＶＢＩからＥＰＧデータを抽出して取得し、ＥＰＧデータの取得にエラーが無い時点で、取得したＥＰＧデータを記憶部に記憶させるとともにＥＰＧ抽出部の駆動を停止させることを特徴とするＤＶＤレコーダ。
【請求項２】
送信されたテレビ放送電波を受信する受信部と、この受信部で受信したテレビ放送電波のＶＢＩからＥＰＧデータを抽出するＥＰＧ抽出部と、このＥＰＧ抽出部で抽出したＥＰＧデータを記憶する記憶部と、ＥＰＧデータの取得処理を制御する制御部と、を含む放送受信装置において、
ＥＰＧデータは、予め定められた放送時刻に複数回、テレビ放送電波のＶＢＩに重畳されて繰り返し送信されるものであって、
制御部は、ＥＰＧデータの放送時刻に至る前にＥＰＧ抽出部を駆動させ、このＥＰＧ抽出部により受信部で受信したテレビ放送電波のＶＢＩからＥＰＧデータを抽出して取得し、ＥＰＧデータの取得にエラーが無い時点で、取得したＥＰＧデータを記憶部に記憶させるとともにＥＰＧ抽出部の駆動を停止させることを特徴とする放送受信装置。
【請求項３】
前記ＥＰＧデータは、予め定められた放送時刻に３回、テレビ放送電波のＶＢＩに重畳されて繰り返し送信されることを特徴とする請求項２に記載の放送受信装置。
【発明の詳細な説明】
【技術分野】
【０００１】
本発明は、ＥＰＧを取り扱う放送受信装置及びこれを備えたＤＶＤレコーダに関する。
【背景技術】
【０００２】
近年、地上アナログ放送の放送電波に文字信号を重畳させ、放送する番組のジャンルや放送時間等に関するＥＰＧ（電子番組表；Electronic Program Guide）を送受信する技術が普及している。このＥＰＧは、テレビ等に搭載された放送受信装置によって取り出され、テレビ画面に番組表として表示されることにより、視聴者の好みに合った番組の検索をテレビ画面を見ながら行える点で有用される。ここでの放送受信装置は、テレビに搭載される場合の他に、テレビに接続されて機能するＤＶＤ（Digital Versatile Disk）レコーダや、ＨＤＤ（Hard Disk Drive）レコーダや、ビデオテープレコーダ等に搭載される場合もある。
【０００３】
図４は、ＥＰＧをテレビ画面に表示させるためのＧガイドシステム１００のシステム構成の概要を示す模式図である。Ｇガイドシステム１００では、送信側において、放送事業者により作成された番組案内情報が所定のファイル形式に変換され、圧縮、暗号化の後、テレビ放送電波のＶＢＩ（垂直帰線消去時間；Vertical Blanking Interval）に文字信号として挿入、編成され、送出装置より送信される。一方、受信側においては、送信されたテレビ放送電波が放送受信装置により受信されて、そのＶＢＩから文字信号がデータとして抽出され、このデータは一旦メモリ等に格納される。視聴者からＥＰＧ表示の入力操作がされると、格納されたデータは、復号化、伸長されて、上記した所定のファイルが取り出され、テレビ画面に番組表として表示される。
【０００４】
ここで、アナログ放送のＥＰＧ、例えば上記したＧガイドシステム１００でのＥＰＧに関しては、区分された地域ごとにホスト放送局が定められており、そのホスト放送局からのテレビ放送電波のＶＢＩを用いて、その地域内の各放送局に割り当てられたチャンネルに対応するＥＰＧのデータがまとめて送信される。また、一日のうちで、ホスト放送局から送信されるＥＰＧの放送時刻は、例えば関西地域では、６：０５（午前６時５分）、１１：０５（午前１１時５分）、１４：３５（午後２時３５分）、１７：３５（午後５時３５分）、２５：４５（午前１時４５分）といったように、予め定められており、各ＥＰＧ放送時刻になると、複数のパケットデータより構成される同じＥＰＧデータが３回、ほぼ連続してテレビ放送電波のＶＢＩに重畳されて繰り返し送信される。
【０００５】
そして、従来の放送受信装置は、ＥＰＧデータを取得する際、ＥＰＧの放送時刻に合わせて駆動し、３回分のＥＰＧデータを一回ごとに、順次、受信、抽出して取得して、そのパケットデータのＣＲＣ（巡回冗長検査；Cyclic Redundancy Check）を行い、パケットデータの取得にエラーが無ければ、都度、そのパケットデータより構成されるＥＰＧデータを新たなＥＰＧデータとして更新して格納する（例えば特許文献１、２参照）。その後、ＥＰＧデータの取得に伴う駆動を停止し、ＥＰＧデータの取得処理が終了する。
【特許文献１】特開２００５−６４８０５号公報
【特許文献２】特開２００５−４５５２４号公報
【発明の開示】
【発明が解決しようとする課題】
【０００６】
しかし、上記した従来の放送受信装置では、ＥＰＧデータの取得の際に、送信される３回分のＥＰＧデータすべてに対して処理を行うため、ある程度の長時間を要する。その時間は、地域ごとにチャンネルの数に伴ってＥＰＧデータの容量が異なることから、地域ごとで異なるが、一般には２０分程度である。そうすると、ＥＰＧデータの取得処理に伴う電力供給が長時間となり、経済的であるとは決して言えない。
【０００７】
そこで本発明は、上記の問題に鑑みてなされたものであり、ＥＰＧデータの取得処理を経済的に行える放送受信装置、及びＤＶＤレコーダを提供することを目的とするものである。
【課題を解決するための手段】
【０００８】
上記目的を達成するため、本発明のＤＶＤレコーダは、送信されたテレビ放送電波を受信する受信部と、この受信部で受信したテレビ放送電波のＶＢＩからＥＰＧデータを抽出するＥＰＧ抽出部と、このＥＰＧ抽出部で抽出したＥＰＧデータを記憶する記憶部と、ＥＰＧデータの取得処理を制御する制御部と、を含む放送受信装置を備えたＤＶＤレコーダにおいて、ＥＰＧデータは、予め定められた放送時刻に３回、テレビ放送電波のＶＢＩに重畳されて繰り返し送信されるものであって、次の点を特徴とする。制御部は、ＥＰＧデータの放送時刻に至る前にＥＰＧ抽出部を駆動させ、このＥＰＧ抽出部により受信部で受信したテレビ放送電波のＶＢＩからＥＰＧデータを抽出して取得し、ＥＰＧデータの取得にエラーが無い時点で、取得したＥＰＧデータを記憶部に記憶させるとともにＥＰＧ抽出部の駆動を停止させる。
【０００９】
これにより、ＥＰＧデータの取得の際、送信される３回分のＥＰＧデータに対して、１回目のＥＰＧデータから３回目のＥＰＧデータまで順にすべて、処理を行って終了するというわけではなく、ＥＰＧデータの取得にエラーが無い時点、例えば、１回目のＥＰＧデータの取得でその取得にエラーが無ければその時点で、以降のＥＰＧデータの取得を行わずに処理を終了する。その結果、取得を行わないＥＰＧデータの分だけ、ＥＰＧデータの取得時間が短縮されるようになる。
【００１０】
また、上記目的を達成するための本発明の放送受信装置は、送信されたテレビ放送電波を受信する受信部と、この受信部で受信したテレビ放送電波のＶＢＩからＥＰＧデータを抽出するＥＰＧ抽出部と、このＥＰＧ抽出部で抽出したＥＰＧデータを記憶する記憶部と、ＥＰＧデータの取得処理を制御する制御部と、を含む放送受信装置において、ＥＰＧデータは、予め定められた放送時刻に複数回、テレビ放送電波のＶＢＩに重畳されて繰り返し送信されるものであって、制御部は、ＥＰＧデータの放送時刻に至る前にＥＰＧ抽出部を駆動させ、このＥＰＧ抽出部により受信部で受信したテレビ放送電波のＶＢＩからＥＰＧデータを抽出して取得し、ＥＰＧデータの取得にエラーが無い時点で、取得したＥＰＧデータを記憶部に記憶させるとともにＥＰＧ抽出部の駆動を停止させる。
【００１１】
これにより、ＥＰＧデータの取得の際、送信される複数回分のＥＰＧデータに対して、１回目のＥＰＧデータから順にすべて、処理を行って終了するというわけではなく、ＥＰＧデータの取得にエラーが無い時点、例えば、１回目のＥＰＧデータの取得でその取得にエラーが無ければその時点で、以降のＥＰＧデータの取得を行わずに処理を終了する。その結果、取得を行わないＥＰＧデータの分だけ、ＥＰＧデータの取得時間が短縮されるようになる。
【００１２】
ここで実質的には、前記ＥＰＧデータは、予め定められた放送時刻に３回、テレビ放送電波のＶＢＩに重畳されて繰り返し送信される。
【発明の効果】
【００１３】
本発明の放送受信装置及びＤＶＤレコーダによれば、ＥＰＧデータの取得時間が短縮されるため、ＥＰＧデータの取得処理に伴う電力供給が短時間となって経済的である。
【発明を実施するための最良の形態】
【００１４】
以下に、本発明の放送受信装置の一実施形態について、これを搭載したＤＶＤレコーダを例に挙げ、図面を参照しながら詳述する。図１はＤＶＤレコーダの概略構成を示すブロック図、図２は図１のＥＰＧ抽出部及び制御部の概略構成を示すブロック図である。ＤＶＤレコーダ１０は、受信部１１、音声検波回路１２、映像検波回路１３、ＥＰＧ抽出部１４、ＤＶＤ記録再生部１５、制御部１６、音声出力端子１７、映像出力端子１８、受光部１９、リモコン２０等から構成される。
【００１５】
受信部１１は、アンテナ１１ａに接続されていて、放送局（ホスト放送局を含む）から送られてくるテレビ放送電波をアンテナ１１ａにより受信し、その中から所望の放送番組を選局して受信するチューナとして機能する。受信部１１は、受信したテレビ放送電波のうち映像信号及び音声信号を抽出して、その映像信号及び音声信号をそれぞれ映像検波回路１３及び音声検波回路１２に出力する。
【００１６】
音声検波回路１２は、受信部１１より入力された映像信号及び音声信号のうちの音声信号を検波して、この音声信号を増幅回路（不図示）により増幅して音声出力端子１７から出力する。音声出力端子１７はテレビ等のスピーカ用端子（不図示）に接続される。
【００１７】
映像検波回路１３は、受信部１１より入力された映像信号及び音声信号のうちの映像信号を検波して、この映像信号を増幅回路（不図示）により増幅して映像出力端子１８から出力する。映像出力端子１８はテレビ等のモニタ用端子（不図示）に接続される。
【００１８】
ＥＰＧ抽出部１４は、制御部１６からの指令に従って駆動し、受信部１１で受信したテレビ放送電波のＶＢＩに重畳された文字信号を抽出して、そのＥＰＧデータを取得する。ここで、ＥＰＧデータには、放送番組の番組名、放送日、番組開始時間、番組終了時間、予約コード、チャンネル、ジャンル等の情報が２週間分程度含まれており、これらのＥＰＧデータは、最終的にＥＰＧ記憶部１４ｃ（図２参照）に記憶される。
【００１９】
ＤＶＤ記録再生部１５は、受信した放送番組をＤＶＤに記録したり、ＤＶＤに記録されているデータを再生したりする。
【００２０】
制御部１６は、選局やモード選択やＥＰＧ表示等といったような視聴者によるリモコン２０からの入力操作が受光部１９を介して入力されたときに、システムプログラムや制御プログラムに従ってＤＶＤレコーダ１０の各部の駆動を制御する。また、制御部１６は、予め定められた放送時刻に送信されてくるＥＰＧデータの取得処理を制御する。
【００２１】
図２を参照してＥＰＧ抽出部１４及び制御部１６の詳細を説明する。図２に示すように、ＥＰＧ抽出部１４は、データ取込回路１４ａ、バッファメモリ１４ｂ、ＥＰＧ記憶部１４ｃ、出力ＩＦ１４ｄ等から構成される。また、制御部１６は、ＣＰＵ（Central Processing Unit）１６ａ、ＲＯＭ（Read Only Memory）１６ｂ、ＲＡＭ（Random Access Memory）１６ｃ、入力ＩＦ１６ｄ等から構成される。そして、これらのＥＰＧ抽出部１４の各部及び制御部１６の各部は、バス１６ｅにより接続されている。
【００２２】
データ取込回路１４ａは、ＣＰＵ１６ａによる制御に従って、受信部１１より入力された映像信号からそのＶＢＩに挿入されたＥＰＧデータである文字信号を抽出して、この文字信号に対して同期再生及び誤り訂正を行った後、バッファメモリ１４ｂに一時的に蓄積する。バッファメモリ１４ｂからは、蓄積されているＥＰＧデータがＥＰＧ記憶部１４ｃへ転送される。
【００２３】
ＥＰＧ記憶部１４ｃは、バッファメモリ１４ｂから転送されるＥＰＧデータを順次更新して記憶する。視聴者からＥＰＧ表示の入力操作がされると、ＥＰＧ記憶部１４ｃからＥＰＧデータが読み出され、読み出されたＥＰＧデータが出力ＩＦ１４ｄからモニタへ出力される。
【００２４】
ＣＰＵ１６ａは、ＲＯＭ１６ｂに記憶されている制御プログラムや、ＲＡＭ１６ｃに記憶されている制御データに従って作動し、データ取込回路１４ａにおける文字信号の取得タイミングやその処理の制御、データ取込回路１４ａからバッファメモリ１４ｂへのデータ蓄積の制御、バッファメモリ１４ｂに一時的に蓄積したＥＰＧデータをＥＰＧ記憶部１４ｃに転送、記憶させる制御等を行う。
【００２５】
入力ＩＦ１６ｄは、リモコン２０から受光部１９を介して入力される視聴者からの指示をＣＰＵ１６ａへ出力する。
【００２６】
引き続き、このようなＤＶＤレコーダ１０におけるＥＰＧデータの取得処理の具体的な動作を、図３に示すフローチャートに沿って説明する。ここでは、ホスト放送局から、予め定められた放送時刻に、複数のパケットデータより構成される同じＥＰＧデータが３回、ほぼ連続してテレビ放送電波のＶＢＩに重畳されて繰り返し送信されるＧガイドシステムを例に挙げる。
【００２７】
先ず、ＥＰＧの放送時刻に合わせて、ステップ＃５において、制御部１６のＣＰＵ１６ａが、ＥＰＧデータの取得処理にまつわる各部、例えば受信部１１やＥＰＧ抽出部１４のデータ取込回路１４ａを駆動させる。ここでのＥＰＧの放送時刻は、実際には、制御部１６のＲＡＭ１６ｃに、地域ごとにデータテーブルとして格納されていて、ＥＰＧの放送時刻に至る５分程度前に駆動が開始する。
【００２８】
続いて、ステップ＃１０において、これから順に送信されてくる３回分のＥＰＧデータのうち、１回目のＥＰＧデータのパケットデータが重畳されたテレビ放送電波を受信部１１で受信する。続くステップ＃１５において、ＥＰＧ抽出部１４のデータ取込回路１４ａにより、そのテレビ放送電波のＶＢＩから１回目のＥＰＧデータのパケットデータである文字信号を順次抽出し、その文字信号をバッファメモリ１４ｂに一時的に順次蓄積して取得する。
【００２９】
制御部１６のＣＰＵ１６ａは、ステップ＃２０において、取得したパケットデータのＣＲＣを行い、そのパケットデータの取得状況を判定する。ここで、１回目のＥＰＧデータについてのパケットデータの取得にエラーが無ければ、すなわちそのパケットデータの取得率が１００％であれば、その時点で、ステップ＃２５に進む。
【００３０】
ステップ＃２５においては、バッファメモリ１４ｂに蓄積されているパケットデータより構成される１回目のＥＰＧデータをＥＰＧ記憶部１４ｃに転送し、新たなＥＰＧデータとして更新して格納する。その後、ステップ＃３０において、ＥＰＧデータの取得に伴う各部の駆動を停止し、２回目以降のＥＰＧデータの取得を行わずに、ＥＰＧデータの取得処理を終了する。
【００３１】
一方、ステップ＃２０において、１回目のＥＰＧデータについてのパケットデータの取得にエラーが有れば、ステップ＃３５に進む。ステップ＃３５においては、当該ＥＰＧデータの取得処理が３回未満であるか否かを判定する。この判定は、実際には、当該ＥＰＧデータにまつわる駆動開始からの経過時間に基づく。
【００３２】
このときのステップ＃３５においては、当該ＥＰＧデータの取得処理が１回目であるため、ステップ＃１０に戻り、上記と同様にステップ＃１０、＃１５を経て、２回目のＥＰＧデータを取得する。そして、再びステップ＃２０において、今度は２回目のＥＰＧデータについて、そのパケットデータの取得にエラーが無ければ、その時点で、ステップ＃２５に進んで、バッファメモリ１４ｂから２回目のＥＰＧデータをＥＰＧ記憶部１４ｃに転送、更新、格納する。その後、ステップ＃３０に進んで、ＥＰＧデータの取得に伴う各部の駆動を停止し、３回目のＥＰＧデータの取得を行わずに、ＥＰＧデータの取得処理を終了する。
【００３３】
２回目のＥＰＧデータについて、ステップ＃２０において、パケットデータの取得にエラーが有れば、再びステップ＃３５に進む。このときのステップ＃３５においては、当該ＥＰＧデータの取得処理が２回目であるため、ステップ＃１０に戻り、上記と同様にステップ＃１０、＃１５を経て、３回目のＥＰＧデータを取得する。そして、再びステップ＃２０において、今度は３回目のＥＰＧデータについて、そのパケットデータの取得にエラーが無ければ、その時点で、ステップ＃２５に進んで、バッファメモリ１４ｂから３回目のＥＰＧデータをＥＰＧ記憶部１４ｃに転送、更新、格納する。その後、ステップ＃３０に進んで、ＥＰＧデータの取得に伴う各部の駆動を停止し、ＥＰＧデータの取得処理を終了する。
【００３４】
一方、３回目のＥＰＧデータについて、ステップ＃２０において、パケットデータの取得にエラーが有れば、再びステップ＃３５に進む。このときのステップ＃３５においては、当該ＥＰＧデータの取得処理が３回目であるため、ステップ＃３０に進んで、ＥＰＧデータの取得に伴う各部の駆動を停止し、ＥＰＧデータの取得処理を終了する。ちなみにこの場合は、新たなＥＰＧデータに更新されないことになる。
【００３５】
このようなＥＰＧデータの取得処理の動作によれば、ＥＰＧデータの取得の際、送信される３回分のＥＰＧデータに対して、１回目のＥＰＧデータから３回目のＥＰＧデータまで順にすべて、処理を行って終了するというわけではなく、ＥＰＧデータの取得にエラーが無い時点、例えば、１回目のＥＰＧデータの取得でその取得にエラーが無ければその時点で、以降のＥＰＧデータの取得を行わずに処理を終了する。その結果、取得を行わないＥＰＧデータの分だけ、ＥＰＧデータの取得時間が短縮されるようになる。そのため、ＥＰＧデータの取得処理に伴う電力供給が短時間となって経済的である。
【００３６】
その他本発明は上記の実施形態に限定されず、本発明の趣旨を逸脱しない範囲で、種々の変更が可能である。例えば、予め定められた放送時刻に送信されるＥＰＧデータの回数については、３回に限らず、２回であってもよいし、３回より多くてもよい。また、ＤＶＤレコーダに限らず、テレビやＨＤＤレコーダやビデオテープレコーダ等に適用しても構わない。
【産業上の利用可能性】
【００３７】
本発明は、ＥＰＧを取り扱う放送受信装置を搭載したテレビやＤＶＤレコーダやＨＤＤレコーダやビデオテープレコーダに有用である。
【図面の簡単な説明】
【００３８】
【図１】本発明の一実施形態である放送受信装置の概略構成を示すブロック図である。
【図２】図１のＥＰＧ抽出部及び制御部の概略構成を示すブロック図である。
【図３】本発明の放送受信装置におけるＥＰＧデータの取得処理の動作を示すフローチャートである。
【図４】一般的なＧガイドシステムのシステム構成の概要を示す模式図である。
【符号の説明】
【００３９】
１０    ＤＶＤレコーダ（放送受信装置）
１１    受信部
１４    ＥＰＧ抽出部
１４ａ    データ取込回路
１４ｂ    バッファメモリ
１４ｃ    ＥＰＧ記憶部
１６    制御部
１６ａ    ＣＰＵ
１６ｂ    ＲＯＭ
１６ｃ    ＲＡＭ
【図１】
2007208669.tif 000003
【図２】
2007208669.tif 000004
【図３】
2007208669.tif 000005
【図４】
2007208669.tif 000006